(57)【要約】      （修正有）【課題】被覆体の被覆層と外カバーを別々に加工する方式により、イヤホンの配線を簡易にし、製造コストの低減を図ったイヤホンカバーを提供する。【解決手段】イヤーカバー１のヘッドバンド１１の二側部分にそれぞれ連結体１２を設け、且つ各連結体にイヤーキャップ１３を位置決めし、並びに被覆体２にヘッドバンド１１を被覆する被覆層２１とイヤーキャップ１３外部を被覆する外カバー２２を設け、イヤホンプラグ３１部分より第１信号線３２の分岐信号線３２１を延伸し、且つ分岐信号線の他端に連接器３２２を設け、並びにそのうち一つの連接器３２２を延伸信号線３２３に電気的に接続し、さらに該延伸信号線３２３の他端及び該分岐信号線３２１のもう一つの連接器を、イヤーキャップ１３内に被覆位置決めしたスピーカー３３に接続する。【選択図】図２
0003178100.tif 000002
【実用新案登録請求の範囲】
【請求項１】
イヤホンカバーにおいて、イヤーカバー、被覆体及びイヤホンを包含し、
該イヤーカバーの具備するヘッドバンドの二側部分にそれぞれ連結体が設けられ、各該連結体にイヤーキャップが結合され、
該被覆体は該イヤーカバーのヘッドバンドを被覆する被覆層と、該被覆層の二側部分に結合されて該イヤーキャップの外部を被覆する外カバーとを具え、
該イヤホンはプラグを具え、並びに該プラグの一端より第１信号線の分岐信号線が延伸され、該分岐信号線の該プラグより離れた他端に少なくとも一つの連接器が設けられ、並びにそのうち一つの連接器が該延伸信号線の一端とプラグイン形式で電気的接続を形成し、該延伸信号線の二端は該イヤーカバーの該ヘッドバンドと該被覆体の該被覆層の間を通って引き出されてそれぞれ該イヤーキャップ内に被覆、位置決めされたスピーカーと接続されることを特徴とする、イヤホンカバー。
【請求項２】
請求項１記載のイヤホンカバーにおいて、該イヤーカバーのヘッドバンドは一つ或いはそれ以上の相互に重ね置かれて伸縮移動する帯体を有し、並びに該帯体の二側部分に結合された上記連結体が具備する受け座に連接片が枢設され、且つ該連接片に嵌止部が設けられ、該イヤーキャップが具備するベースに、該連接片の嵌止部を保持して位置決めする保持部が設けられたことを特徴とする、イヤホンカバー。
【請求項３】
請求項２記載のイヤホンカバーにおいて、該ヘッドバンドの二つの該帯体は相互に重ね置かれ、並びに該帯体の一側部分に案内部が設けられ、且つ該案内部より離れた別側部分に、もう一つの帯体の案内部中を通る穿孔が設けられ、該連結体の具備する受け座表面に、貫通孔と嵌止部品が設けられ、該嵌止部品は該穿孔中に位置しさらに該貫通孔内に係止されて可動に枢設されることを特徴とする、イヤホンカバー。
【請求項４】
請求項１記載のイヤホンカバーにおいて、該被覆体の該被覆層の二端にミシン縫い方式で上記外カバーが結合され、該外カバー内部に該イヤーキャップが挿入される挿入空間が形成され、且つ該被覆層及び該外カバーがそれぞれ布、皮革、人工皮革、シリコーンゴム、或いはプラスチックで形成されたことを特徴とする、イヤホンカバー。
【請求項５】
請求項１記載のイヤホンカバーにおいて、該被覆体の該外カバーに少なくとも一つの、イヤホンのプラグを通して引き出すための通し孔が設けられたことを特徴とする、イヤホンカバー。
【請求項６】
請求項１記載のイヤホンカバーにおいて、該被覆体の該外カバーの、該イヤーキャップ上の位置と、該外カバーの間に、ミシン縫い、粘着帯、或いは接着方式でイヤホンのスピーカーを被覆する内被覆層が結合されたことを特徴とする、イヤホンカバー。
【請求項７】
請求項１記載のイヤホンカバーにおいて、該イヤホンの該第１信号線の連接器はプラグを具え、並びに該第１信号線のそのうち一つの連接器のプラグが、延伸信号線の一端のソケットとプラグイン形式の電気的接続を形成することを特徴とする、イヤホンカバー。
【請求項８】
請求項７記載のイヤホンカバーにおいて、該第１信号線の該延伸信号線の他端部分のソケットがスピーカーより延伸された連接信号線のプラグとプラグイン形式の電気的接続を形成することを特徴とする、イヤホンカバー。
【請求項９】
請求項１記載のイヤホンカバーにおいて、該イヤホンの該第１信号線の分岐信号線のもう一つの連接器の具備するソケットとスピーカーより延伸された連接信号線のプラグがプラグイン形式の電気的接続を形成することを特徴とする、イヤホンカバー。
【請求項１０】
請求項１記載のイヤホンカバーにおいて、該イヤホンの該プラグの該第１信号線と反対側に第２信号線が設けられ、該第２信号線の二端それぞれにプラグが設けられ、且つ該第２信号線の一端のプラグが該イヤホンのプラグとプラグイン形式の電気的接続を形成することを特徴とする、イヤホンカバー。
【請求項１１】
請求項１０記載のイヤホンカバーにおいて、該第１信号線にボリュームスイッチ或いは切換えスイッチとされるコントローラーが設けられることを特徴とする、イヤホンカバー。
【考案の詳細な説明】
【技術分野】
【０００１】
本考案は一種のイヤホンカバーを提供し、特にイヤホン外部が別に加工される被覆体で被覆され、イヤホンの第１信号線がイヤーカバーと被覆体の間を通され、さらにコネクタ及びスピーカに電気的に接続され、これによりイヤホンの配線をさらに簡易とし、組立をスピーディーとし、且つ製造コストを低減する効果を達成する、イヤホンカバーに関する。
【背景技術】
【０００２】
一般に、寒いところで使用される装身具、例えば保温衣服、マフラー、手袋は、人体を被覆し、それにより防風及び保温の目的を達成する。しかし、非常に寒い季節に遭遇するか或いは身体が比較的低温で、寒冷な高山或いは雪の降るところに置かれると、これらの防寒用品は、人体の耳朶に対して保護を行えないため、耳朶が直接露出して非常に容易に凍傷や疼痛などの状況を発生する。ゆえに、現在、最も簡便で一般的な方式として、イヤーカバーを着用することで、保護、防寒の効果を達成している。
【０００３】
さらに、イヤーカバーの形式と種類は不断に新しいものが出現し、ある業者はイヤーカバー構造に対して改良を行なっている。周知のイヤーカバー構造は、二つの伸縮するヘッドバンドを使用者の頭部に装着し、並びにヘッドバンドの２端にそれぞれ円形イヤーカバーを結合し、ヘッドバンドの長さを伸縮調整した後に、イヤーカバーで耳朶を覆って使用する。ただし、周知のイヤーカバー構造のほとんどは固定されており、相互に折り畳んで収納することはできず、このため、一定の空間を占有し、ヘッドバンドとイヤーカバーを押圧して一つに積み重ねることで変形したり構造が破壊されたりする状況が発生する。且つヘッドバンド及びイヤーカバーは分けてモジュール化して生産することができない。このため全体の製造プロセスは十分に煩瑣で困難であり、イヤーカバーの外部を編み地で被覆したい時は、ヘッドバンドとイヤーカバーを分けた後に、それぞれ異なる材料或いは色の編み地で被覆しなければならず、このため全体使用上の機能と効果が制限を受けることとなった。
【０００４】
このほか、ある業者は現在市販されているイヤホンをイヤーカバー構造内部に結合させて、イヤホンカバーを構成している。その結合の方式は、イヤホンのそのうち一つのイヤホン本体と連接線を、任意のイヤーカバーよりイヤーカバーと編み地の間に形成された空間内に通し、イヤホン本体と連接線をヘッドバンドに通した後に、さらにもう一つのイヤーカバー内部に挿入し並びに位置決めし、こうしてイヤホンの二つのイヤホン本体をイヤーカバー内部に位置決めし、連接線の他端を外部に引き出し、並びにメディアプレイヤー、受信器或いはその他の電子装置と接続して音声信号を受信する。このイヤホンカバーは、耳朶を完全に被覆することで外界雑音の干渉の問題を減らし、全体の音声品質を改善することができる。しかし、ヘッドバンドとイヤーカバーは固定されて取り外し不能な構造であり、且つ該イヤホンは一定の体積を占有し、イヤホン本体と連接線をヘッドバンド及びイヤーカバーと編み地の間に通すのに不便であり、また、ヘッドバンドカバー全体の体積を増加させることになり、組立プロセスがさらに困難となり加工時間とコストを増し、ゆえに、当業者により設計を改善して、有効に解決することが待たれている。
【考案の概要】
【考案が解決しようとする課題】
【０００５】
ゆえに、考案者は周知のイヤホンカバー構造の使用上の問題と欠点を鑑み、関係データを収集し多方面の評価と考察を経て、並びにこの業界における長年の研究開発経験に基づき不断に試作と改良を重ね、終にこのようなイヤホンカバーを設計した。
【０００６】
本考案の主要な目的は、一種のイヤホンカバーを提供することにあり、それは、イヤーカバーのヘッドバンドの二側部分にそれぞれ連結体を設け、且つ各連結体にイヤーキャップを位置決めし、並びに被覆体にヘッドバンドを被覆する被覆層とイヤーキャップ外部を被覆する外カバーを設け、イヤホンプラグ部分より第１信号線の分岐信号線を延伸し、且つ分岐信号線の他端に連接器を設け、並びにそのうち一つの連接器を延伸信号線に電気的に接続し、さらに該延伸信号線の他端及び該分岐信号線のもう一つの連接器を、イヤーキャップ内に被覆位置決めしたスピーカーに接続し、これにより被覆体の被覆層と外カバーを別々に加工する方式により、イヤホンの第１信号線をヘッドバンドと被覆層の間を通して引き出すのに便利であり、さらにプラグ及びスピーカーとプラグイン形式の電気的接続を形成し、こうして、大幅に組立にかかる時間と手間を縮限し、イヤホンの配線をさらに簡易とし、組立をスピーディーとし、且つ製造コストを低減する効果を達成するものとする。
【課題を解決するための手段】
【０００７】
請求項１の考案は、イヤホンカバーにおいて、イヤーカバー、被覆体及びイヤホンを包含し、
該イヤーカバーの具備するヘッドバンドの二側部分にそれぞれ連結体が設けられ、各該連結体にイヤーキャップが結合され、
該被覆体は該イヤーカバーのヘッドバンドを被覆する被覆層と、該被覆層の二側部分に結合されて該イヤーキャップの外部を被覆する外カバーとを具え、
該イヤホンはプラグを具え、並びに該プラグの一端より第１信号線の分岐信号線が延伸され、該分岐信号線の該プラグより離れた他端に少なくとも一つの連接器が設けられ、並びにそのうち一つの連接器が該延伸信号線の一端とプラグイン形式で電気的接続を形成し、該延伸信号線の二端は該イヤーカバーの該ヘッドバンドと該被覆体の該被覆層の間を通って引き出されてそれぞれ該イヤーキャップ内に被覆、位置決めされたスピーカーと接続されることを特徴とする、イヤホンカバーとしている。
請求項２の考案は、請求項１記載のイヤホンカバーにおいて、該イヤーカバーのヘッドバンドは一つ或いはそれ以上の相互に重ね置かれて伸縮移動する帯体を有し、並びに該帯体の二側部分に結合された上記連結体が具備する受け座に連接片が枢設され、且つ該連接片に嵌止部が設けられ、該イヤーキャップが具備するベースに、該連接片の嵌止部を保持して位置決めする保持部が設けられたことを特徴とする、イヤホンカバーとしている。
請求項３の考案は、請求項２記載のイヤホンカバーにおいて、該ヘッドバンドの二つの該帯体は相互に重ね置かれ、並びに該帯体の一側部分に案内部が設けられ、且つ該案内部より離れた別側部分に、もう一つの帯体の案内部中を通る穿孔が設けられ、該連結体の具備する受け座表面に、貫通孔と嵌止部品が設けられ、該嵌止部品は該穿孔中に位置しさらに該貫通孔内に係止されて可動に枢設されることを特徴とする、イヤホンカバーとしている。
請求項４の考案は、請求項１記載のイヤホンカバーにおいて、該被覆体の該被覆層の二端にミシン縫い方式で上記外カバーが結合され、該外カバー内部に該イヤーキャップが挿入される挿入空間が形成され、且つ該被覆層及び該外カバーがそれぞれ布、皮革、人工皮革、シリコーンゴム、或いはプラスチックで形成されたことを特徴とする、イヤホンカバーとしている。
請求項５の考案は、請求項１記載のイヤホンカバーにおいて、該被覆体の該外カバーに少なくとも一つの、イヤホンのプラグを通して引き出すための通し孔が設けられたことを特徴とする、イヤホンカバーとしている。
請求項６の考案は、請求項１記載のイヤホンカバーにおいて、該被覆体の該外カバーの、該イヤーキャップ上の位置と、該外カバーの間に、ミシン縫い、粘着帯、或いは接着方式でイヤホンのスピーカーを被覆する内被覆層が結合されたことを特徴とする、イヤホンカバーとしている。
請求項７の考案は、請求項１記載のイヤホンカバーにおいて、該イヤホンの該第１信号線の連接器はプラグを具え、並びに該第１信号線のそのうち一つの連接器のプラグが、延伸信号線の一端のソケットとプラグイン形式の電気的接続を形成することを特徴とする、イヤホンカバーとしている。
請求項８の考案は、請求項７記載のイヤホンカバーにおいて、該第１信号線の該延伸信号線の他端部分のソケットがスピーカーより延伸された連接信号線のプラグとプラグイン形式の電気的接続を形成することを特徴とする、イヤホンカバーとしている。
請求項９の考案は、請求項１記載のイヤホンカバーにおいて、該イヤホンの該第１信号線の分岐信号線のもう一つの連接器の具備するソケットとスピーカーより延伸された連接信号線のプラグがプラグイン形式の電気的接続を形成することを特徴とする、イヤホンカバーとしている。
請求項１０の考案は、請求項１記載のイヤホンカバーにおいて、該イヤホンの該プラグの該第１信号線と反対側に第２信号線が設けられ、該第２信号線の二端それぞれにプラグが設けられ、且つ該第２信号線の一端のプラグが該イヤホンのプラグとプラグイン形式の電気的接続を形成することを特徴とする、イヤホンカバーとしている。
請求項１１の考案は、請求項１０記載のイヤホンカバーにおいて、該第１信号線にボリュームスイッチ或いは切換えスイッチとされるコントローラーが設けられることを特徴とする、イヤホンカバーとしている。
【考案の効果】
【０００８】
本考案は、一種のイヤホンカバーを提供し、イヤホン外部が別に加工される被覆体で被覆され、イヤホンの第１信号線がイヤーカバーと被覆体の間を通され、さらにコネクタ及びスピーカに電気的に接続され、これによりイヤホンの配線をさらに簡易とし、組立をスピーディーとし、且つ製造コストを低減する効果を達成する。
とする。
【図面の簡単な説明】
【０００９】
【図１】本考案の立体外観図である。
【図２】本考案の立体分解図である。
【図３】本考案のイヤーカバーの立体分解図である。
【図４】本考案の側面断面図である。
【図５】本考案の折り畳み後の立体外観図である。
【図６】本考案の折り畳み後のもう一つの立体外観図である。
【図７】本考案のイヤーカバー、被覆体及びイヤホンの組立前の立体分解図である。
【図８】本考案のイヤーカバー、被覆体及びイヤホンの組立時の立体分解図である。
【図９】本考案のイヤーカバー、被覆体及びイヤホンの組立後の側面断面図である。
【図１０】本考案のイヤーカバー、被覆体及びイヤホンの組立後の好ましい実施例の使用状態図である。
【図１１】本考案の別の実施例の立体分解図である。
【考案を実施するための形態】
【００１０】
本考案の技術内容、構造特徴、達成する目的を詳細に説明するため、以下に実施例を挙げ並びに図面を組み合わせて説明する。
【００１１】
図１、２、３、４、５、６はそれぞれ本考案の立体外観図、立体分解図、イヤーカバーの立体分解図、側面断面図、折り畳み後の立体外観図及び折り畳み後のもう一つの立体外観図である。これらの図から明らかであるように、本考案はイヤーカバー１、被覆体２及びイヤホン３を包含する。
【００１２】
該イヤーカバー１はヘッドバンド１１、連結体１２およびイヤーキャップ１３を包含する。該ヘッドバンド１１は一つ或いはそれ以上の相互に重ね置かれて伸縮する帯体１１１を具え、並びに帯体１１１の一側に案内部１１２が設けられ、且つ案内部１１２より離れた別側に穿孔１１３が設けられ、さらに帯体１１１の、案内部１１２に隣接し及び穿孔１１３の別側の前後の２辺部分に軌道１１１１が設けられ、連結体１２の具備する受け座１２１に連接片１２２が枢設され、並びに受け座１２１の表面に貫通孔１２１１と貫通孔１２１１中の嵌止部品１２１２が設けられ、且つ連接片１２２の受け座１２１から離れた別側部分に嵌止部１２２１が設けられている。また、イヤーキャップ１３の具備するベース１３１内部に収容空間１３０が設けられ、並びにベース１３１に保持部１３１１が設けられている。
【００１３】
該被覆体２はイヤーカバー１のヘッドバンド１１及び連結体１２を被覆する被覆層２１を有し、並びに被覆層２１の二端部分は、ミシン縫い方式でイヤーキャップ１３外部を被覆する外カバー２２に結合され、且つ外カバー２２内部に嵌合空間２０が形成されている。
【００１４】
さらに、被覆体２の被覆層２１は布材料（綿、ポリエステル繊維、アクリル繊維、弾性繊維等）を編成してなり、並びに弾性伸縮調整の使用に供され、且つ該外カバー２２の好ましい実施例は布とされ、保温の機能を有するものとされる。ただし、実際の応用時には、本考案の請求範囲はこれに限定されず、被覆層２１及び外カバー２２はそれぞれ皮革、合成皮革、シリコーンゴム、プラスチック或いはその他の軟質材料で製造可能である。
【００１５】
該イヤホン３は、プラグ３１を具え、並びにプラグ３１の一端より第１信号線３２が延伸され、プラグ３１の内部に挿入孔３１０が設けられ、且つ第１信号線３２はプラグ３１より延伸された分岐信号線３２１を具え、並びに分岐信号線３２１のプラグ３１より離れた他端に少なくとも一つの、プラグ３２２１を具えた連接器３２２を有し、さらに、そのうち一つの連接器３２２のプラグ３２２１は、延伸信号線３２３の一端に設けられたソケット３２３１とプラグイン形式の電気的接続を形成し、また、延伸信号線３２３の他端部分のソケット３２３１と分岐信号線３２１のもう一つの連接器３２２の具備するソケット３２２２はそれぞれスピーカー３３より延伸された連接信号線３３１のプラグ３３１１とプラグイン形式の電気的接続を形成する。
【００１６】
図７、８、９、１０はそれぞれ本考案のイヤーカバー、被覆体及びイヤホンの組立前の立体分解図、組立時の立体分解図、組立後の側面断面図及び好ましい実施例の使用状態図である。これらの図に明らかであるように、本考案を組み立てる時は、まず、イヤーカバー１のヘッドバンド１１の二つの帯体１１１を相互に重ね合わせ、並びに帯体１１１の一側の穿孔１１３のある端部をもう一つの帯体１１１の案内部１１２に設けられた滑り溝１１２１中に通し、帯体１１１の前後の２辺の軌道１１１１を滑り溝１１２１に組み合わせて伸縮移動動作可能とし、続いて各連結体１２の受け座１２１の貫通孔１２１１を帯体１１１の穿孔１１３に整合させ、並びに嵌止部品１２１２を穿孔１１３中に通し、さらに受け座１２１の貫通孔１２１１内に係止させて、ヘッドバンド１１の二側を連結体１２と可動に枢接する。
【００１７】
しかし、イヤーカバー１のヘッドバンド１１と連結体１２の組立が完成した後、被覆体２の被覆層２１を利用してヘッドバンド１１及び連結体１２を被覆して被覆層２１を位置決め状態とし、さらに、イヤホン３の第１信号線３２の延伸信号線３２３の一端をヘッドバンド１１と被覆層２１の間に形成された空間内に通し、且つ延伸信号線３２３の一端をヘッドバンド１１に沿って被覆層２１より引き出した後、延伸信号線３２３の二端部分のソケット３２３１をそれぞれ被覆層２１の二端開口部分より引き出し、イヤホン３の一対のスピーカー３３をイヤーカバー１のイヤーキャップ１３内に置き、並びに被覆体２の外カバー２２で被覆し位置決めした後、そのうち一つのスピーカー３３の連接信号線３３１のプラグ３３１１を外カバー２２に設けられた少なくとも一つの通し孔２２１に通し、もう一つのスピーカー３３のプラグ３３１１を分岐信号線３２１の連接器３２２のソケット３２２２内に挿入する。この時、連接器３２２のプラグ３２２１及びプラグ３１はそれぞれ外カバー２２の対応する通し孔２２１より引き出され、分岐信号線３２１及びスピーカー３３のプラグ３２２１、３３１１と延伸信号線３２３の二端のソケット３２３１がプラグイン形式の電気的接続を形成するのに供される。
【００１８】
イヤーキャップ１３と被覆体２の外カバー２２の結合の方式は、２片の外カバー２２がそれぞれイヤーキャップ１３の二側表面を被覆し、さらに、ミシン縫い方式で結合されて一体とされ、並びに外カバー２２に少なくとも一つの通し孔２２１が形成されるか、または、二つの外カバー２２が縫合された後、並びに未縫合の保留部分に折り返し口が形成され、さらにイヤーキャップ１３が外カバー２２の嵌合空間２０内に置かれ、並びに折り返し口の未縫合部分がイヤーキャップ１３のベース１３１内部に置かれた後、外カバー２２によりイヤーキャップ１３が完全に被覆されて当接状態が形成され、或いは、さらに外カバー２２のイヤーキャップ１３上に位置する部分が、イヤホン３のスピーカー３３上を被覆する内被覆層２２２とミシン縫い、粘着帯、接着、装丁の方式で結合される（図９参照）。これにより、被覆体２の被覆層２１と外カバー２２が別々に加工される方式で、使用者がイヤホン３の第１信号線３２をイヤーカバー１のヘッドバンド１１と被覆層２１の間に通し、さらにプラグ３１とスピーカー３３とそれぞれプラグイン型の電気的接続を形成することができ、大幅にイヤホン３の組立の時間とコストを縮限し、これによりイヤホン３の配線をより簡易とし、組立をスピーディーとし且つコストダウンする作用効果を達成する。
【００１９】
イヤーカバー１のヘッドバンド１１が二側部分の連結体１２を介してイヤーキャップ１３と組み合わされる時、まず、イヤホン３の分岐信号線３２１及びスピーカー３３のプラグ３２２１、３３１１をそれぞれヘッドバンド１１の二側部分より引き出された延伸信号線３２３のソケット３２３１とプラグイン形式の電気的接続を形成させ、並びに第１信号線３２の余分の線部はイヤーキャップ１３と被覆体２の外カバー２２の間に形成される空間に挿入し、さらに連結体１２の連接片１２２を嵌止部１２２１でイヤーキャップ１３のベース１３１の保持部１３１１に保持させて位置決めし、且つ連接片１２２の嵌止部１２２１とベース１３１の保持部１３１１は相互に対応し係合する凸係止部と係止溝とされることができ、ヘッドバンド１１は二側部分の連結体１２を介してそれぞれイヤーキャップ１３と組み合わせて一体に結合する。
【００２０】
本考案のイヤーカバー１を折り畳む時は、まずヘッドバンド１１の二つの帯体１１１の長さを短縮して、連結体１２を介して二つのイヤーキャップ１３を調整して相互に対向する状態となし、第１種の折り畳み方式を形成する。或いは、連結体１２によりイヤーキャップ１３の回転角度を調整し、さらにイヤーカバー１の二つのイヤーキャップ１３を相互に重ね合わせて一体とし、第２種の折り畳み方式を形成し（図５のとおり）、全体構造の体積を縮小し且つより小型化し、またイヤーキャップ１３の回転角度を簡単に調整して折り畳みできる。使用者がイヤーカバー１を頭部に着用する時（図９に示されるとおり）、ヘッドバンド１１を使用者の頭の形に応じて延伸するか短縮させ、連結体１２によりヘッドバンド１１とイヤーキャップ１３を平行とするか、前向き或いは後ろ向きに回転させて特定角度とし、これにより使用者の頭の形或いは着用方式に応じてヘッドバンド１１を簡単に伸縮調整すると共に、イヤーキャップ１３の角度調整を実現でき、且つ携帯或いは折り畳み時のいずれも相当に便利である。
【００２１】
図２、７、９、図１１はそれぞれ本考案の立体分解図、イヤーカバー、被覆体及びイヤホンの組立前の立体分解図、組立後の側面断面図及び別の好ましい実施例の立体分解図である。これらの図に明らかであるように、イヤホン３のプラグ３１の第１信号線３２と反対の別側部分に第２信号線３４が設けられ、並びに第２信号線３４の二端それぞれに挿入端子３４０を具えたプラグ３４１が設けられ、且つ第２信号線３４の一端のプラグ３４１の挿入端子３４０はプラグ３１の挿入孔３１０とプラグイン形式の電気的接続を形成し、第２信号線３４にコントローラ３５が設けられ、且つコントローラ３５はボリュームスイッチ、切換えスイッチ、或いはその他の音量調整或いは使用機能の切換えに供されるスイッチとされ得る。
【００２２】
本考案を使用する時は、まずイヤーカバー１を頭部に着用し、連結体１２によりイヤーキャップ１３の回転角度を調整し、使用者の耳朶をイヤーキャップ１３の収容空間１３０内に収容するか、或いはヘッドバンド１１を使用者の前額、後頭の位置に嵌め、すなわち任意にイヤーカバー１の位置を調整でき且つ着用方向上の制限を受けない。さらに、第２信号線３４の他端のプラグ３４１の挿入端子３４０を電子装置４（マルチメディアプレイヤー、受信機等）の挿入孔（図示せず）とプラグイン形式の電気的接続を形成し、すなわち、電子装置４の伝送する信号を受信して音声受信し、且つ第２信号線３４にイヤホン３のプラグ３１を組み合わせて使用距離を延長でき、また、第２信号線３４をプラグ３１部分より抜いてイヤーカバー１と分離した後、別々に収納し、配線整理に便利で、操作上相当に簡易である。
【００２３】
上述の詳細な説明は、本考案の一種の比較的好ましい実施例に対する説明であるが、この実施例は本考案の実用新案登録請求の範囲を制限するために用いられるのではなく、本考案の開示する技術精神より離脱せずに完成される同等の変化と修飾は、いずれも本考案のカバーする権利範囲中に含まれるものとする。
【００２４】
総合すると、本考案の上述のイヤホンカバーは、確実にその機能と目的を達成し、ゆえに、本考案は実用性に優れた考案であり、実用新案登録の要件に符合し、ここに実用新案登録出願を行う次第です。
【符号の説明】
【００２５】
１  イヤーカバー
１１  ヘッドバンド
１１１  帯体
１１１１  軌道
１１２  案内部
１１２１  滑り溝
１１３  穿孔
１２  連結体
１２１  受け座
１２１１  貫通孔
１２１２  嵌止部品
１２２  連接片
１２２１  嵌止部
１３  イヤーキャップ
１３０  収容空間
１３１  ベース
１３１１  保持部
２  被覆体
２０  嵌合空間
２１  被覆層
２２  外カバー
２２１  通し孔
２２２  内被覆層
３  イヤホン
３１  プラグ
３１０  挿入孔
３２  第１信号線
３２１  分岐信号線
３２２  連接器
３２２１  プラグ
３２２２  ソケット
３２３  延伸信号線
３２３１  ソケット
３３  スピーカー
３３１  連接信号線
３３１１  プラグ
３４  第２信号線
３４０  挿入端子
３４１  プラグ
３５  コントローラ
４  電子装置
【図１】
0003178100.tif 000003
【図２】
0003178100.tif 000004
【図３】
0003178100.tif 000005
【図４】
0003178100.tif 000006
【図５】
0003178100.tif 000007
【図６】
0003178100.tif 000008
【図７】
0003178100.tif 000009
【図８】
0003178100.tif 000010
【図９】
0003178100.tif 000011
【図１０】
0003178100.tif 000012
【図１１】
0003178100.tif 000013